(57)【要約】　　　（修正有）【課題】隙間なしにリクライニング・デバイスの可動ヒンジ・ブラケットを揺動可能にし、リクライニング・デバイスおよびそのまわりを見映えよく仕上げる。【解決手段】ヒンジ・ブラケット逃げ口１４に固定的に取り付けられヒンジ・ブラケット逃げ口１４および可動ヒンジ・ブラケットの間をシールする自立性軟質樹脂リップ１５とを備え、シート・クッションの外側からリクライニング・デバイスを覆ってシート・クッションの側面の後方部分に配置可能にされ、インナ・カバー１２が、そのリクライニング・デバイスのモータ・カバー３０から逃げるモータ・カバー逃げ口１９と、そのモータ・カバー逃げ口１９に固定的に取り付けられてモータ・カバー３０との間をシールする自立性軟質樹脂リップ２０とを備え、シート・クッションの内側からそのリクライニング・デバイスを覆ってアウタ・カバー１１に組み付け可能にする。【選択図】　　　図１
2004057329.tif 000002
【特許請求の範囲】
【請求項１】
アウタ・カバーが、リクライニング・デバイスの可動ヒンジ・ブラケットから逃げて外側にその可動ヒンジ・ブラケットを突き出し可能にするヒンジ・ブラケット逃げ口と、そのヒンジ・ブラケット逃げ口に固定的に取り付けられてそのヒンジ・ブラケット逃げ口および可動ヒンジ・ブラケットの間をシールする自立性軟質樹脂リップとを備え、そして、シート・クッションの外側からそのリクライニング・デバイスを覆ってそのシート・クッションの側面の後方部分に配置可能にされ、そして、インナ・カバーが、そのリクライニング・デバイスのモータ・カバーから逃げるモータ・カバー逃げ口と、そのモータ・カバー逃げ口に固定的に取り付けられてそのモータ・カバー逃げ口およびモータ・カバーの間をシールする自立性軟質樹脂リップとを備え、そして、そのシート・クッションの内側からそのリクライニング・デバイスを覆ってそのアウタ・カバーに組み付け可能にされるところの自動車シートのリクライニング・デバイスに用いるシールド・カバー。
【発明の詳細な説明】
【０００１】
【発明の関係する分野】
この発明は、自動車シートのリクライニング・デバイスに用いるシールド・カバーに関する。
【０００２】
【背景技術】
自動車のリクライニング・シートでは、リクライニング・デバイスとそのまわりがシールド・カバーで覆われて仕上げられるのが一般である。そのリクライニング・デバイスが動作されると、可動ヒンジ・ブラケットは前後に揺動されるので、そのシールド・カバーは、その可動ヒンジ・ブラケットの当りを避ける逃げ口を広く取る必要があってその逃げ口とその可動ヒンジ・ブラケットとの間に隙間ができた。
【０００３】
【発明の課題】
この発明の課題は、隙間なしにリクライニング・デバイスの可動ヒンジ・ブラケットを揺動可能にし、そして、そのリクライニング・デバイスおよびそのまわりを見映えよく仕上げるところの自動車シートのリクライニング・デバイスに用いるシールド・カバーの提供にある。
【０００４】
【課題に相応する手段およびそれの作用】
この発明は、アウタ・カバーが、リクライニング・デバイスの可動ヒンジ・ブラケットから逃げて外側にその可動ヒンジ・ブラケットを突き出し可能にするヒンジ・ブラケット逃げ口と、そのヒンジ・ブラケット逃げ口に固定的に取り付けられてそのヒンジ・ブラケット逃げ口および可動ヒンジ・ブラケットの間をシールする自立性軟質樹脂リップとを備え、そして、シート・クッションの外側からそのリクライニング・デバイスを覆ってそのシート・クッションの側面の後方部分に配置可能にされ、そして、インナ・カバーが、そのリクライニング・デバイスのモータ・カバーから逃げるモータ・カバー逃げ口と、そのモータ・カバー逃げ口に固定的に取り付けられてそのモータ・カバー逃げ口およびモータ・カバーの間をシールする自立性軟質樹脂リップとを備え、そして、そのシート・クッションの内側からそのリクライニング・デバイスを覆ってそのアウタ・カバーに組み付け可能にされ、そして、そのアウタ・カバーのその自立性軟質樹脂リップでそのヒンジ・ブラケット逃げ口とその可動ヒンジ・ブラケットとの間の隙間を吸収してその可動ヒンジ・ブラケットを揺動可能にし、一方、そのインナ・カバーのその自立性樹脂リップでそのモータ・カバー逃げ口とそのモータ・カバーとの間の隙間を吸収する。
【０００５】
【具体例の説明】
以下、特定されて図示された具体例に基づいて、この発明の自動車シートのリクライニング・デバイスに用いるシールド・カバーを説明するに、図１は、自動車のドライバ・シートに活用されるところのこの発明の自動車シートのリクライニング・デバイスに用いるシールド・カバーの具体例１０を部分的に示し、そして、このシールド・カバー１０では、アウタ・カバー１１が、硬質樹脂から成形され、リクライニング・デバイスの可動ヒンジ・ブラケット（図示せず）から逃げて外側にその可動ヒンジ・ブラケットを突き出し可能にするヒンジ・ブラケット逃げ口１４と、そのヒンジ・ブラケット逃げ口１４に固定的に取り付けられてそのヒンジ・ブラケット逃げ口１４および可動ヒンジ・ブラケットの間をシールする自立性軟質樹脂リップ１５とを備え、そして、シート・クッション（図示せず）の外側からそのリクライニング・デバイスを覆ってそのシート・クッションの側面の後方部分に配置可能にされ、また、インナ・カバー１２が、硬質樹脂から成形され、そのリクライニング・デバイスのモータ・カバー３０から逃げるモータ・カバー逃げ口１９と、そのモータ・カバー逃げ口１９に固定的に取り付けられてそのモータ・カバー逃げ口１９およびモータ・カバー３０の間をシールする自立性軟質樹脂リップ２０とを備え、そして、そのシート・クッションの内側からそのリクライニング・デバイスを覆ってそのアウタ・カバー１１に組み付け可能にされる。
【０００６】
そのヒンジ・ブラケット逃げ口１４は、そのアウタ・カバー１１のカバー・フランジ１３に切欠き状に開口されてその自立樹脂リップ１５を固定的に取り付けている。また、その自立性樹脂リップ１５はヒンジ・ブラケットはめ合い口１６を備える。
【０００７】
そのモータ・カバー逃げ口１９はそのインナ・カバー１２のトップに半円形に切り欠かれて開口され、そして、その自立性樹脂リップ２０を固定的に取り付けている。その自立性樹脂リップ２０は、フロント・リップ２１およびリア・リップ２２に分割され、そして、そのフロント・リップ２１がそのモータ・カバー逃げ口１９の前側のカバー・トップに、そのリア・リップ２２がそのモータ・カバー逃げ口１９の後側のカバー・トップにそれぞれ固定的に取り付けられる。さらに、そのインナ・カバー１２はフロント・フランジ１７およびリア・フランジ１８のそれぞれに複数の長穴２３をあけ、スナップ・アクションでその長穴２３にそのアウタ・カバー１１のそのカバー・フランジのその対応する複数の爪（図示せず）を引っ掛け、そして、そのアウタ・カバー１１に一体化される。
【０００８】
また、このシールド・カバー１０において、２４は支柱スペーサである。
【０００９】
したがって、このシールド・カバー１０は、そのアウタ・カバー１１がそのシート・クッションの外側からそのリクライニング・デバイスを覆ってそのシート・クッションの側面後方部分に配置され、そして、そのインナ・カバー１２がそのシート・クッションの内側からそのリクライニング・デバイスを覆ってそのアウタ・カバー１１に押し付けられ、スナップ・アクションでそのカバー・フランジのその爪をその長穴２３に引っ掛け、そのアウタ・カバー１１に一体化されてそのシート・クッションに取り付けられる。そのシールド・カバー１０は、その取付け状態でそのアウタ・カバー１１のその自立性樹脂リップ１５がそのヒンジ・ブラケット逃げ口１４とその可動ヒンジ・ブラケットとの間の隙間を吸収してその可動ヒンジ・ブラケットを揺動可能にし、また、そのインナ・カバー１２のその自立性樹脂リップ２０がそのモータ・カバー逃げ口１９とそのモータ・カバー３０との間の隙間を吸収する。その結果、そのドライバ・シートはそのリクライニング・デバイスおよびそのまわりを見映えよく仕上げられる。
【００１０】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ　ｃｏｍｍｅｎｓｕｒａｔｅ　ｗｉｔｈ）、そして、その発明の成立に必須である。
【００１１】
【発明の便益】
上述から理解されるように、この発明の自動車シートのリクライニング・デバイスに用いるシールド・カバーは、アウタ・カバーが、リクライニング・デバイスの可動ヒンジ・ブラケットから逃げて外側にその可動ヒンジ・ブラケットを突き出し可能にするヒンジ・ブラケット逃げ口と、そのヒンジ・ブラケット逃げ口に固定的に取り付けられてそのヒンジ・ブラケット逃げ口および可動ヒンジ・ブラケットの間をシールする自立性軟質樹脂リップとを備え、そして、シート・クッションの外側からそのリクライニング・デバイスを覆ってそのシート・クッションの側面の後方部分に配置可能にされ、そして、インナ・カバーが、そのリクライニング・デバイスのモータ・カバーから逃げるモータ・カバー逃げ口と、そのモータ・カバー逃げ口に固定的に取り付けられてそのモータ・カバー逃げ口およびモータ・カバーの間をシールする自立性軟質樹脂リップとを備え、そして、そのシート・クッションの内側からそのリクライニング・デバイスを覆ってそのアウタ・カバーに組み付け可能にされるので、この発明の自動車シートのリクライニング・デバイスに用いるシールド・カバーでは、そのリクライニング・デバイスのその可動ヒンジ・ブラケットが、隙間なしに揺動可能になり、そして、そのリクライニング・デバイスおよびそのまわりが、見映えより仕上げられ、その結果、自動車のリクライニング・シートにとって非常に有用で実用的である。
【図面の簡単な説明】
【図１】自動車のドライバ・シートに活用されるところのこの発明の自動車シートのリクライニング・デバイスに用いるシールド・カバーの具体例を部分的に示した斜視図である。
【符号の説明】
１１　アウタ・カバー
１２　インナ・カバー
１３　カバー・フランジ
１４　ヒンジ・ブラケット逃げ口
１５　自立性軟質樹脂リップ
１６　ヒンジ・ブラケットはめ合い口
１７　フロント・フランジ
１８　リア・フランジ
１９　モータ・カバー逃げ口
２０　自立性軟質樹脂リップ
２１　フロント・リップ
２２　リア・リップ
３０　モータ・カバー
【図１】
2004057329.tif 000003